(57)【特許請求の範囲】
【請求項１】
ケーシング内に、少なくともオゾンランプと、外部の空気を上記ケーシングの適所に設けた吸気孔よりケーシング内に吸引して上記ランプの周囲に循環した後吹出孔より噴出する循環ファンとを配設し、かつ上記オゾンランプを上記吸気孔と吹出孔の間に位置し、上記循環ファンを吹出孔の内側に近接して配置し、上記オゾンランプと吸気孔との間に、この吸気孔から吸引された空気中のオゾン濃度を検出するオゾンセンサーを配設したものにおいて、上記オゾンランプとオゾンセンサーとの間に仕切板を配設し、この仕切板の上記オゾンランプの非対向面に上記オゾンセンサーを装着した事を特徴とする脱臭殺菌装置。
【請求項２】
上記吸気孔をケーシングの底面に、上記吹出孔をケーシングの上部前面又は側面に各々穿孔し、上記ケーシング内に区画板を配設して上記吸気孔を吹出孔に連通する通気路を区画形成し、上記オゾンランプを上記通気路の吸気孔の上方に横置きにて配設し、上記通気路のオゾンランプと吸気孔との間に位置して上記仕切板を配設すると共に、この仕切板の上記オゾンランプの非対向面の略中央部に上記オゾンセンサーを装着し、上記仕切板の両端部と上記区画板との間に通気用の間隔を形成し、かつ上記仕切板と吸気孔との間に、上記オゾンセンサーに対向して通気穴を穿孔したガイド板を配設した事を特徴とする、上記請求項１に記載の脱臭殺菌装置。
【発明の詳細な説明】
【０００１】
【産業上の利用分野】
本発明は、少なくともオゾンを発生するオゾンランプを用いて室内の空気等を脱臭・殺菌する脱臭殺菌装置に関する。
【０００２】
【従来の技術】
波長が約１８５ｎｍの紫外線を発生する水銀ランプにより構成したオゾンランプや、波長が約２５０ｎｍの紫外線を発生する水銀ランプにより構成した殺菌ランプを用いたり、これらの波長の紫外線を同時に放射する紫外線ランプを用いて、ホテル、旅館、病院等の比較的多数の人が出入りする場所の空気を脱臭・殺菌するものが、特開昭６１−２４４３６７号公報や特開昭６１−２７９２４８号公報に示されている。
【０００３】
又、空気中のオゾン濃度が高いと頭痛等の人体に影響を及ぼすという問題があり、空気中のオゾン濃度をオゾンセンサーにより検出し、オゾン濃度が所定値以上に達するとオゾンランプを消灯してオゾンの発生を停止するものを、本出願人が例えば特願平６−３１２４６号により提案している。
【０００４】
【発明が解決しようとする課題】
一方、脱臭殺菌装置は、主にケーシング内にオゾンランプと、循環ファンと、制御用の回路基板を配置して比較的コンパクトに構成している為、上記オゾンセンサーをケーシング内のオゾンランプと吸気孔との間に配置すると、オゾンランプから放出される紫外線の一部が直接オゾンセンサーに放射され、オゾン濃度の検出精度を低下するという問題がある。
【０００５】
そこで本発明は、比較的簡単な構成にて、オゾンランプから放射される紫外線が直接オゾンセンサーに放射されない様に構成する事を目的とするものである。
【０００６】
【課題を解決するための手段】
本発明は、ケーシング内に、少なくともオゾンランプと、外部の空気をケーシングの適所に設けた吸気孔よりケーシング内に吸引してオゾンランプの周囲に循環した後吹出孔より噴出する循環ファンとを配設し、かつオゾンランプを吸気孔と吹出孔の間に位置し、循環ファンを吹出孔の内側に近接して配置し、オゾンランプと吸気孔との間に、この吸気孔から吸引された空気中のオゾン濃度を検出するオゾンセンサーを配設したものにおいて、オゾンランプとオゾンセンサーとの間に仕切板を配設し、この仕切板のオゾンランプの非対向面にオゾンセンサーを装着して成るものである。
【０００７】
又本発明は、吸気孔をケーシングの底面に、吹出孔をケーシングの上部前面又は側面に各々穿孔し、ケーシング内に区画板を配設して吸気孔を吹出孔に連通する通気路を区画形成し、オゾンランプを通気路の吸気孔の上方に横置きにて配設し、通気路のオゾンランプと吸気孔との間に位置して仕切板を配設すると共に、この仕切板のオゾンランプの非対向面の略中央部にオゾンセンサーを装着し、仕切板の両端部と区画板との間に通気用の間隔を形成し、かつ仕切板と吸気孔との間に、オゾンセンサーに対向して通気穴を穿孔したガイド板を配設して成るものである。
【０００８】
【作用】
オゾンランプを点灯すると共に循環ファンを作動することで、室内等の空気を吸気孔よりケーシング内に吸引してオゾンランプの周囲を循環し、オゾンランプより発生するオンにて脱臭・殺菌した後、吹出孔より放出する。
【０００９】
又、オゾンセンサーにより吸気孔より吸引した空気のオゾン濃度を検出し、このオゾン濃度が予め設定した所定値よりも高い場合には、オゾンランプを消灯してオゾンの発生を停止する。
【００１０】
一方本発明は、オゾンランプとオゾンセンサーとの間に仕切板を配設したことで、この仕切板によりオゾンランプから放射される紫外線のオゾンセンサーへの放射を防止し、オゾンセンサーの誤動作を防止する。
【００１１】
更に本発明は、オゾンランプと吸気孔との間に仕切板とガイド板を配設したことで、仕切板によりオゾンランプから放射されるオゾンセンサーへの放射を防止すると共に、吸気孔からケーシング内に吸引された空気を確実にオゾンセンサーを通過させ、オゾンセンサーによるオゾン濃度の検出をより正確に行う事が出来るものである。
【００１２】
【実施例】
本発明の実施例を図１〜図３に基づき説明すると、１は脱臭殺菌器本体で、ケーシング２の前面上部に複数のスリット孔から成る吹出孔３を穿孔していると共に、底面に同じく複数のスリット孔から成る吸気孔４を穿孔し、かつ内部に、この吸気孔と上記吹出孔３とを連通する凸状の通気路５を区画板６により区画形成している。
【００１３】
７は、上記通気路５の上記吸気孔４の上方に横置きにて配設したオゾンランプで、例えば１８４．９ｎｍの波長の紫外線を放射する石英ガラス製低圧水銀ランプにて構成している。
【００１４】
８は上記通気路５の吹出孔３の内側に配設した循環ファンで、回転により室内等の空気を上記吸気孔４より通気路５内に吸引した後、オゾンランプ７の周囲を循環して吹出孔３より再び室内等に噴出する様に構成している。
【００１５】
９は上記通気路５の吸気孔４とオゾンランプ７の間に位置して、このオゾンランプと略平行に通気路５内を仕切る様に配設した仕切板で、左右両端と上記区画板６との間に通気用の間隔１０、１０を設けている。
【００１６】
１１は上記吸気孔４と仕切板９との間に位置して、この仕切板と略平行に通気路５を仕切る様に配設したガイド板で、略中央部に通気穴１２を穿孔している。
【００１７】
尚上記ガイド板１１は、上記オゾンランプ７後方のケーシング２の内面に固定した取付板１３の下端を前方に折曲して形成しており、この取付板にオゾンランプ７の両端を支持する支持板１４、１４を折曲形成していると共に、上記取付板１３の前面に上記仕切板９を固定している。
【００１８】
１５は上記仕切板９の上記通気穴１２との対向部分に装着したオゾンセンサーで、プリント基板１６を介して固定し、かつ例えば０〜０．１ｐｐｍの範囲のオゾン濃度を検出する様に構成している。
【００１９】
１７、１７は上記ケーシング２と区画板６との間の空間に配設した制御用の回路基板で、運転中は、上記循環ファン８やオゾンランプ７に通電して、吸気孔４より室内等の空気を通気路５内に吸引してオゾンランプ７の周囲を循環した後吹出孔３より噴出すると共に、オゾンセンサー１５の出力により循環空気中のオゾン濃度を検出し、オゾン濃度が例えば０．１ｐｐｍ以上に達するとオゾンランプ７を消灯して空気中の脱臭・殺菌を行う。
【００２０】
而して、運転時にはオゾンランプ７を点灯すると共に循環ファン８を回転することで、上記脱臭殺菌器本体１を設置した室内等の空気を吸気孔４よりケーシング２内の通気路５に吸引し、通気穴１２よりオゾンセンサー１５を通過した後、間隔１０、１０を経てオゾンランプ７の周囲を循環し、その後吹出孔３より放出する。
【００２１】
これにより、吸気孔４より吸引された空気はガイド板１１と仕切板９により確実にオゾンセンサー１５を通過し、通過する空気のオゾン濃度を検出する。
【００２２】
又、オゾンランプ７の点灯時には、その表面より紫外線を放出するが、この紫外線の一部は仕切板９により遮られてオゾンセンサー１５へは直接放射されず、放射によるオゾンセンサーの誤動作を防止する。
【００２３】
【発明の効果】
本発明の構成により、仕切板によりオゾンランプから放射される紫外線のオゾンセンサーへの放射を遮断し、放射によるオゾンセンサーの誤動作を防止する事が出来ると共に、仕切板にオゾンセンサーを固定することで、部品点数の削減によるコストダウンや作業性の向上を計る事が出来るものである。
【００２４】
又本発明は、吸気孔とオゾンランプとの間に仕切板とガイド板を配設し、かつこれらに通気用の間隔と通気穴を設けたことで、オゾンセンサーの周囲に空気が滞留することなく、吸気孔より吸引した空気を確実にオゾンセンサーを通過させることで、オゾンセンサーによるオゾン濃度の検出を確実に行う事が出来るものである。
【図面の簡単な説明】
【図１】本発明による実施例を示す斜視図である。
【図２】同じく正面縦断面図である。
【図３】同じく側面縦断面図である。
【符号の説明】
２        ケーシング
３        吹出孔
４        吸気孔
５        通気路
６        区画板
７        オゾンランプ
８        循環ファン
９        仕切板
１０    間隔
１２    通気穴
１５    オゾンセンサー
【図１】
0003588156.tif 000002
【図２】
0003588156.tif 000003
【図３】
0003588156.tif 000004